(57)【要約】      （修正有）【課題】環境の変化や現像剤の耐久状態の変化によって現像剤の嵩密度が変化してもトナー濃度の誤検知を防止する画像形成装置を提供する。【解決手段】現像剤容器に設けられ、現像剤容器内に現像剤が補給されることにより余剰となった現像剤を排出する排出口から排出された現像剤のトナー濃度を検知するインダクタンス検知センサ４５と、インダクタンス検知センサ４５の検知結果に基づいて画像形成装置の画像形成条件を制御するプリンタ制御部と、を有することを特徴とする。【選択図】図９
2017083501.tif 000002
【特許請求の範囲】
【請求項１】
静電潜像が形成される像担持体と、
前記像担持体上の静電潜像をトナー像に現像する現像装置と、
を有し、
現像装置は、
トナーと磁性キャリアとを含む現像剤を収容する現像剤容器と、
前記現像剤容器に設けられ、該前記現像剤容器内に現像剤が補給されることにより余剰となった現像剤を排出する排出口と、
を有する画像形成装置において、
前記排出口から排出された現像剤のトナー濃度を検知するトナー濃度検知手段と、
前記トナー濃度検知手段の検知結果に基づいて前記画像形成装置の画像形成条件を制御する制御手段と、
を有することを特徴とする画像形成装置。
【請求項２】
前記制御手段は、前記トナー濃度検知手段により第１の検知タイミングで検知した第１の検知結果と、前記第１の検知タイミングから所定時間が経過した第２の検知タイミングで検知した第２の検知結果との関係が所定の変化率よりも小さくなったときの前記第２の検知結果に基づいて前記画像形成装置の画像形成条件を制御することを特徴とする請求項１に記載の画像形成装置。
【請求項３】
前記トナー濃度検知手段により第１の検知タイミングで検知した第１の検知結果をＡ（Ｖ）、前記第１の検知タイミングから所定時間Ｘ（秒）が経過した第２の検知タイミングで検知した第２の検知結果をＢ（Ｖ）とすると、
（Ｂ−Ａ）／Ｘ＜０．００２（Ｖ／秒）
を満たすとき前記制御手段は、前記第２の検知結果に基づいて前記画像形成装置の画像形成条件を制御することを特徴とする請求項１または請求項２に記載の画像形成装置。
【請求項４】
静電潜像が形成される像担持体と、
前記像担持体上の静電潜像をトナー像に現像する現像装置と、
を有し、
現像装置は、
トナーと磁性キャリアとを含む現像剤を収容する現像剤容器と、
前記現像剤容器に設けられ、該前記現像剤容器内に現像剤が補給されることにより余剰となった現像剤を排出する排出口と、
を有する画像形成装置において、
前記排出口から排出された現像剤を圧縮する圧縮手段と、
前記排出口から排出され、前記圧縮手段により圧縮された現像剤のトナー濃度を検知するトナー濃度検知手段と、
前記トナー濃度検知手段の検知結果に基づいて前記画像形成装置の画像形成条件を制御する制御手段と、
を有することを特徴とする画像形成装置。
【請求項５】
前記圧縮手段は、前記排出口から排出された現像剤を搬送する搬送部材を有し、該搬送部材により前記排出口から排出された現像剤を通常の搬送方向とは逆方向に搬送して前記排出口近傍の前記現像剤容器の壁面に対して前記現像剤を圧縮することを特徴とする請求項４に記載の画像形成装置。
【請求項６】
前記現像剤容器内にトナーを補給する補給装置を有し、
前記制御手段は、前記補給装置の動作履歴情報に基づいて前記排出口から排出される現像剤量Ｈ１と、前記トナー濃度検知手段の検知結果に基づいて前記排出口から排出される現像剤量Ｈ２と、を算出し、前記現像剤量Ｈ１と、前記現像剤量Ｈ２との比較結果に応じて前記画像形成装置の画像形成条件を制御することを特徴とする請求項１〜５のいずれか１項に記載の画像形成装置。
【請求項７】
前記現像剤量Ｈ１（ｇ）と、前記現像剤量Ｈ２（ｇ）との比較結果が
Ｈ２−Ｈ１＞０．５（ｇ）
を満たすとき、前記制御手段は、前記画像形成装置の画像形成条件を制御することを特徴とする請求項６に記載の画像形成装置。
【請求項８】
前記トナー濃度検知手段は、トナーと磁性キャリアとを含む二成分現像剤の見かけの透磁率を検知することを特徴とする請求項１〜７のいずれか１項に記載の画像形成装置。
【発明の詳細な説明】
【技術分野】
【０００１】
本発明は、電子写真複写機やレーザビームプリンタ等の像担持体上に形成された静電潜像をトナー像に現像する現像装置を備えた画像形成装置に関するものである。特に、トナー及び磁性キャリアからなる二成分現像剤を使用する現像装置を備えた画像形成装置に関する。
【背景技術】
【０００２】
従来、電子写真方式や静電記録方式を採用する画像形成装置、特に電子写真方式によってフルカラーやマルチカラー画像を形成するカラー画像形成装置では以下の通りである。発色性や混色性といった観点から殆どの現像装置がトナーと磁性キャリアを混合した二成分現像剤を使用している。
【０００３】
一定体積内の現像剤に含まれる磁性キャリアの見かけの透磁率μの変化を検知するインダクタンス検知方式のトナー濃度検知センサでは以下の問題がある。現像剤自体の嵩密度が変化することにより現像剤のトナー濃度が変化していないにもかかわらず、インダクタンス検知センサの出力が変化して正確にトナー濃度制御ができなくなる。
【０００４】
例えば、一定のトナー濃度の現像剤について高湿度環境下でインダクタンス検知センサを用いると、高湿度環境下では現像剤の磁性キャリアの電荷保持量が減少し、磁性キャリア同士の反発力も減少する。このため磁性キャリア同士の間隔が短くなり、現像剤中の単位体積当たりの磁性キャリアの個数が増加する。これにより単位体積当たりの透磁率が増加する。そのためインダクタンス検知センサは、トナー濃度が減少したと誤検知する。
【０００５】
一方、低湿度環境下では現像剤の磁性キャリアの電荷保持量が増加し、磁性キャリア同士の反発力も増加する。このため磁性キャリア同士の間隔が広くなり、現像剤中の単位体積当たりの磁性キャリアの個数が減少する。これにより単位体積当たりの透磁率が減少する。そのためインダクタンス検知センサは、トナー濃度が増加したと誤検知する。
【０００６】
このような現像剤の嵩密度の変化に伴うインダクタンス検知センサの誤検知の問題に対して、特許文献１では、以下のような方法を提案している。即ち、インダクタンス検知センサは、高周波電圧により磁界を形成し、この磁界を二成分現像剤の一部に及ぼし、現像剤の単位体積当たりの透磁率の変化を検知する。これによりトナー濃度を検知する。このとき形成する磁界の強度を制御する制御電圧Ｖｃを湿度の変化に応じて所定の電圧ΔＶｃだけ変化させることでインダクタンス検知センサの誤検知を防ぐものである。
【０００７】
図15は、検知する二成分現像剤のトナー濃度を８．０％に固定したときの湿度と、インダクタンス検知センサの出力電圧Ｖとの関係を示した図である。図15の実線で示す曲線ａは、インダクタンス検知センサの磁界の強度を制御する制御電圧Ｖｃを５．０Ｖに固定したときの湿度と、インダクタンス検知センサの出力電圧Ｖとの関係を示す。図15の点線で示す曲線ｂは、インダクタンス検知センサの磁界の強度を制御する制御電圧Ｖｃを５．５Ｖに固定したときの湿度と、インダクタンス検知センサの出力電圧Ｖとの関係を示す。
【０００８】
図15の横軸は湿度を示し、縦軸はインダクタンス検知センサの出力電圧Ｖを示す。図15に示すように、トナー濃度が８．０％の一定で、インダクタンス検知センサの磁界の強度を制御する制御電圧Ｖｃが５．０Ｖ、或いは、５．５Ｖの一定であっても現像剤の湿度の変化によってインダクタンス検知センサの出力電圧Ｖが変化することが分かる。
【０００９】
図16は、検知する二成分現像剤のトナー濃度を８．０％に固定したときのインダクタンス検知センサの磁界の強度を制御する制御電圧Ｖｃと、インダクタンス検知センサの出力電圧Ｖとの関係を示す図である。
【００１０】
図16の横軸はインダクタンス検知センサの磁界の強度を制御する制御電圧Ｖｃを示し、縦軸はインダクタンス検知センサの出力電圧Ｖを示す。図16に示すように、インダクタンス検知センサはセンサ自身の特性として、インダクタンス検知センサの磁界の強度を制御する制御電圧Ｖｃが大きくなると発生する磁界の強度が大きくなる。このためトナー濃度が８．０％の一定であってもインダクタンス検知センサの磁界の強度を制御する制御電圧Ｖｃが大きくなると、インダクタンス検知センサの出力電圧Ｖが大きくなることが分かる。
【００１１】
例えば、図15に示すように、湿度が４０％の環境下で、トナー濃度が８．０％の現像剤を図15の曲線ａで示す磁界の強度を制御する制御電圧Ｖｃが５．０Ｖのインダクタンス検知センサで検知する。すると、インダクタンス検知センサの出力電圧Ｖが２．２Ｖとなる。
【００１２】
ここで、現像剤の湿度環境が変化して湿度が２０％になった場合を考慮する。すると、図15の曲線ａで示すように、インダクタンス検知センサの出力電圧Ｖが１．９Ｖに変化する。
【００１３】
例えば、インダクタンス検知センサの出力電圧Ｖの感度をトナー濃度の１％分が０．３Ｖであったとする。すると、トナー濃度が８．０％の現像剤を湿度が４０％の環境下から湿度が２０％の環境下に変化したとき、トナー濃度が８．０％の現像剤は、トナー濃度が７．０％であると誤検知してしまう。
【００１４】
湿度が４０％の環境下から湿度が２０％の環境下に変化したとき、インダクタンス検知センサの出力電圧Ｖは２．２Ｖから１．９Ｖに低下する。その電圧差は０．３Ｖ（＝２．２Ｖ−１．９Ｖ）である。インダクタンス検知センサの出力電圧Ｖの−０．３Ｖ分がトナー濃度の−１％分に相当するから湿度が２０％の環境下ではトナー濃度が７．０％（＝８．０％−１．０％）であると誤検知してしまう。実際の現像剤のトナー濃度は８．０％で変化していない。
【００１５】
そこで、湿度が４０％から湿度が２０％への変化に応じてインダクタンス検知センサの磁界の強度を制御する制御電圧Ｖｃを図15の曲線ａで示す５．０Ｖから曲線ｂで示す５．５Ｖに変更する。ここで、湿度が４０％の曲線ａで示す磁界の強度を制御する制御電圧Ｖｃが５．０Ｖのインダクタンス検知センサの出力電圧Ｖを考慮する。更に、湿度が２０％の曲線ｂで示す磁界の強度を制御する制御電圧Ｖｃが５．５Ｖのインダクタンス検知センサの出力電圧Ｖを考慮する。すると、何れも２．２Ｖとなって一致する。これによりトナー濃度の誤検知を防ぐことができる。
【先行技術文献】
【特許文献】
【００１６】
【特許文献１】特開平５−６１３５３号公報
【発明の概要】
【発明が解決しようとする課題】
【００１７】
しかしながら、現像剤の嵩密度の変化は、環境の変化だけでなく、現像剤の耐久状態によっても起こる。例えば、現像装置が現像する画像デューティ（Duty）が低いときは、新しい現像剤の補給が少ない状態で現像装置の空回転が続く。このため現像剤中のトナーの外添剤の剥がれや外添剤の埋め込みによって現像剤の凝集度が高くなり嵩密度が小さくなる。
【００１８】
一方、現像装置が現像する画像デューティ（Duty）が高いときは、新しい現像剤の補給が多くなる。このため現像装置内の劣化トナーは順次入れ替わり、新しいトナーの割合が増えてくる。これにより現像剤の凝集度が低くなり嵩密度が大きくなる。
【００１９】
また、現像剤のトナー濃度が同一で環境条件が同一であっても現像剤の耐久状態によって磁性キャリアがトナーに付加する電荷量（トリボ）が異なる。これにより現像剤の嵩密度が異なる場合もある。
【００２０】
例えば、耐久末期の現像剤の磁性キャリアはトナーのスペント（付着）や磁性キャリアのコートの剥がれ等でトナーへの電荷付与能力が落ちてくる。このためトナー濃度が同一で環境条件が同一であっても磁性キャリアがトナーに付加する電荷量（トリボ）が低下して現像剤の嵩密度が大きくなる。
【００２１】
このように、環境条件の変化だけでなく現像剤の耐久状態の変化によっても現像剤の嵩密度が変化し、インダクタンス検知センサによるトナー濃度の誤検知の要因となっている。
【００２２】
本発明は前記課題を解決するものであり、その目的とするところは、現像剤の耐久状態の変化によるトナー濃度の誤検知を防止する画像形成装置を提供するものである。
【課題を解決するための手段】
【００２３】
前記目的を達成するための本発明に係る画像形成装置の代表的な構成は、静電潜像が形成される像担持体と、前記像担持体上の静電潜像をトナー像に現像する現像装置と、を有し、現像装置は、トナーと磁性キャリアとを含む現像剤を収容する現像剤容器と、前記現像剤容器に設けられ、該前記現像剤容器内に現像剤が補給されることにより余剰となった現像剤を排出する排出口と、を有する画像形成装置において、前記排出口から排出された現像剤のトナー濃度を検知するトナー濃度検知手段と、前記トナー濃度検知手段の検知結果に基づいて前記画像形成装置の画像形成条件を制御する制御手段と、を有することを特徴とする。
【発明の効果】
【００２４】
本発明によれば、排出口から排出された現像剤のトナー濃度を検知することで現像剤の耐久状態の変化によるトナー濃度の誤検知を防止することできる。
【図面の簡単な説明】
【００２５】
【図１】本発明に係る画像形成装置の構成を示す断面説明図である。
【図２】本発明に係る画像形成装置の第１実施形態の現像装置の構成を示す断面説明図である。
【図３】第１実施形態の画像形成装置の現像装置の構成を示す平面説明図である。
【図４】第１実施形態の画像形成装置の画像処理ユニットの構成を示すブロック図である。
【図５】第１実施形態の画像形成装置の現像装置におけるインダクタンス検知センサの周辺部の構成を示す断面説明図である。
【図６】検知する二成分現像剤の嵩密度を固定したときの二成分現像剤のトナー濃度と、インダクタンス検知センサの出力電圧との関係を示す図である。
【図７】第１実施形態の画像形成装置の現像装置におけるインダクタンス検知センサの出力電圧の時間変化を示す図である。
【図８】第１実施形態の画像形成装置の現像装置におけるインダクタンス検知センサの出力電圧の時間変化を異なるＴ／Ｄ比で比較した図である。
【図９】第１実施形態の画像形成装置の現像装置におけるインダクタンス検知センサの検知制御動作を示すフローチャートである。
【図１０】第１実施形態の画像形成装置の現像装置の現像剤排出特性を示す図である。
【図１１】第１実施形態の画像形成装置の現像剤消費量と、現像剤補給量と、出力画像との関係を示す図である。
【図１２】本発明に係る画像形成装置の第２実施形態の現像装置におけるインダクタンス検知センサの周辺部の構成を示す断面説明図である。
【図１３】第２実施形態の画像形成装置の現像装置におけるインダクタンス検知センサの検知制御動作を示すフローチャートである。
【図１４】本発明に係る画像形成装置の第３実施形態の現像装置におけるインダクタンス検知センサの検知制御動作を示すフローチャートである。
【図１５】検知する二成分現像剤のトナー濃度を８．０％に固定したときの湿度と、インダクタンス検知センサの出力電圧との関係を示す図である。
【図１６】検知する二成分現像剤のトナー濃度を８．０％に固定したときのインダクタンス検知センサの磁界の強度を制御する制御電圧と、インダクタンス検知センサの出力電圧との関係を示す図である。
【発明を実施するための形態】
【００２６】
図により本発明に係る画像形成装置の一実施形態を具体的に説明する。
【実施例１】
【００２７】
先ず、図１〜図11を用いて本発明に係る画像形成装置の第１実施形態の構成について説明する。
【００２８】
トナーと磁性キャリアとを含む二成分現像剤を用いた現像法は、磁性キャリアとトナーとの摩擦帯電によりトナーに電荷を付与し、電荷が付与されたトナーを潜像に対して静電的に付着させることによって画像を形成する方法である。
【００２９】
このような二成分現像方式において、高耐久、高安定を満足した画像を提供していくためには、安定したトナー帯電量（以下「トリボ」という）を付与していくことが重要である。そのためには磁性キャリアの帯電付与能力が耐久前後で安定していることが必要である。
【００３０】
しかし、実際には、トナーは随時、現像動作により消費されていくのに対して、磁性キャリアは消費されずに現像装置内に残る。そのため、耐久（長時間使用）していくと磁性キャリアはトナーとともに長時間撹拌され、表面がトナーの外添剤やトナーの付着により汚染される。その結果、磁性キャリアのトリボ付与能力が下がってくるためトリボが低下し、飛散かぶり等の画像劣化が生じる。
【００３１】
従来は、このような問題に対して、耐久寿命を過ぎた劣化した現像剤を定期的なメンテナンス時にサービスマンにより新しい現像剤に交換する方法がとられていた。このため現像剤寿命がサービスマンによるメンテナンス間隔となっていた。
【００３２】
サービスマンへの負担、コスト、更には画像形成装置のダウンタイムという観点からもサービスマンによるメンテナンス間隔は長い方が好ましい。そのため耐久寿命を延ばす現像剤の開発や現像剤を劣化させない画像形成プロセスの開発が行なわれているが、現状では、３万枚から５万枚の記録材に画像形成すると現像剤寿命となるのが実際である。
【００３３】
そこで、現像装置内に磁性キャリアを補給することにより帯電性能の劣化を抑制出来る画像形成装置が提案されている。
【００３４】
このような画像形成装置では、現像装置内に新しい現像剤または磁性キャリアの補給装置を設ける。そして、この補給装置による新しい現像剤または磁性キャリアの補給よって過剰になった現像装置内の余剰現像剤を現像装置の壁面に設けられた排出口から溢れ出るようにオーバーフローさせて排出し、回収する。以下、この方式をオート・磁性キャリア・リフレッシュ方式（ＡＣＲ方式）という。
【００３５】
このような画像形成装置では、新しい現像剤または磁性キャリアの補給と、現像剤の排出とが逐次繰り返される。これにより現像装置内の劣化した現像剤は、新たに供給されるトナー及び磁性キャリアに置換されていく。これにより現像装置内の現像剤の現像特性が一定に維持され、現像剤の帯電特性を維持して、画質の低下を抑制することが可能となる。その結果、現像剤の交換頻度が低減できる。
【００３６】
また、二成分現像剤を用いた画像形成装置では、現像剤のトナー濃度であるＴ／Ｄ比（磁性キャリア粒子重量Ｃと非磁性トナー粒子重量Ｔとの合計重量Ｄに対する非磁性トナー粒子重量Ｔの割合）は、画像品質を安定化させる上で極めて重要な要素になっている。
【００３７】
現像剤のトナー粒子は現像時に消費され、トナー濃度は変化する。このため、現像剤濃度制御装置（ＡＴＲ）を使用して適時現像剤のトナー濃度を正確に検知し、その変化に応じてトナー補給を行い、トナー濃度を制御して、画像品質を維持する必要がある。
【００３８】
このように現像プロセスにより現像装置内の現像剤のトナー濃度が変化するのを補正する（現像装置内に補給するトナー量を制御する）ために、現像剤容器中のトナー濃度の検知及びトナー濃度制御は、従来から種々の方式が提案されて実用化されている。
【００３９】
例えば、現像剤担持体となる現像スリーブ、或いは、現像剤容器の現像剤搬送経路に近接してトナー濃度センサが設けられる。例えば、現像スリーブの表面上に搬送された現像剤、或いは、現像剤容器内の現像剤に光を当てる。そのときの光の反射率がトナー濃度により異なることを利用してトナー濃度を検知して制御する現像剤濃度制御装置が使用される。
【００４０】
或いは、現像装置の側壁に磁性キャリアと、非磁性トナーとの混合比率による見かけの透磁率を検知して電気信号に変換するインダクタンスヘッドを設ける。そして、該インダクタンスヘッドからの検出信号によって現像装置内の現像剤の実際のトナー濃度を検知する。そして、基準値との比較によりトナーを補給するインダクタンス検知方式の現像剤濃度制御装置が使用される。
【００４１】
また、感光ドラムの表面に対向した位置に光源が設けられる。その光源から出射した光を感光ドラムの表面上に形成したパッチ画像に照射する。その反射光をセンサにより受けて光度を読み取り、アナログ−ディジタル変換器でディジタル信号に変換する。その後、ＣＰＵ（Central Processing Unit；中央演算装置）に送り、該ＣＰＵで初期設定値と比較して、読み取ったパッチ画像の濃度が該初期設定値よりも高い場合は、該初期設定値に戻るまでトナー補給が停止される。該初期設定値よりも読み取ったパッチ画像の濃度が低い場合は、該初期設定値に戻るまで強制的にトナーが補給される。その結果、トナー濃度が間接的に所望の値に維持される方式等がある。
【００４２】
しかし、現像スリーブの表面上に搬送された現像剤、或いは、現像剤容器内の現像剤に光を当てたときの反射率からトナー濃度を検知する方式は、トナー飛散等により検知手段が汚れてしまった場合、正確にトナー濃度を検知できない等の問題がある。
【００４３】
また、パッチ画像濃度から間接的にトナー濃度を制御する方式は、画像形成装置の小型化に伴い、パッチ画像を形成するスペースや検知手段を設置するスペースが確保できない等の問題がある。
【００４４】
これに対し、インダクタンス検知方式は、センサ単体のコストも安価なことに加えてスペースの確保が容易で、トナー飛散による汚れの影響を受けない。このため低コストで小スペースの画像形成装置に最適なトナー濃度検知方式といえる。
【００４５】
インダクタンス検知方式の現像剤濃度制御装置（以下、「インダクタンス検知方式ＡＴＲ」という。）は、初期の現像剤のトナー濃度に対するインダクタンス検知方式ＡＴＲの検出信号を現像剤のトナー濃度制御の基準値に設定する。その基準値に対して検出信号が高く、現像剤の見かけの透磁率が大きいと検知された場合は以下の通りである。一定体積内で現像剤中の磁性キャリア粒子が占める割合が多くなりトナー濃度が低くなったことを意味するためトナー補給を開始する。
【００４６】
逆に基準値に対して検出信号が低く、現像剤の見かけの透磁率が小さくなったと検知された場合は以下の通りである。一定体積内で現像剤中の磁性キャリアが占める割合が少なくなりトナー濃度が高くなったことを意味するためトナー補給を停止する。これによりトナー濃度を制御する。
【００４７】
或いは、後述するビデオカウント値と、パッチ画像濃度の信号値を通常のトナー補給制御に用いながらも、初期の現像剤のトナー濃度に対するインダクタンス検知方式ＡＴＲの検出信号を現像剤のトナー濃度制御の基準値に設定する。その基準値に対して検出信号が所定の値よりも大きいか、或いは、小さい場合には、トナー補給を停止するか、或いは、強制的にトナー補給を行なう。このように、インダクタンス検知センサ４５をトナー補給制御のリミッターとして利用する場合もある。
【００４８】
＜画像形成装置＞
先ず、図１を用いて本発明に係る画像形成装置の構成について説明する。図１は、本発明に係る画像形成装置の構成を示す断面説明図である。図１において、本実施形態の画像形成装置１２は、図１の矢印ｃ方向に回転駆動され、静電潜像が形成される像担持体となる感光ドラム１を有する。
【００４９】
感光ドラム１の周囲には、該感光ドラム１の表面を一様に帯電する帯電手段となる一次帯電器２が設けられている。一次帯電器２によって一様に帯電された感光ドラム１の表面には、図４に示す像露光手段となるレーザスキャナ３から出射される画像情報に応じたレーザ光３ａが照射される。これにより感光ドラム１の表面上に静電潜像が形成される。
【００５０】
レーザスキャナ３により感光ドラム１の表面上に形成された静電潜像に対して以下の通りである。現像手段となる現像装置４に設けられた現像剤担持体となる現像スリーブ２４の表面にトナーと磁性キャリアを含む二成分現像剤が担持される。そして、該二成分現像剤が図１の矢印ｃ方向に回転する感光ドラム１の表面に磁気ブラシとなって接触する。そして、感光ドラム１の表面上（像担持体上）の静電潜像に現像剤が供給されてトナー像として現像される。
【００５１】
現像装置４により感光ドラム１の表面上に形成されたトナー像は、転写手段となる転写帯電器５により搬送部により搬送シート６上を搬送される記録材７に転写される。
【００５２】
転写帯電器５により記録材７上に転写された未定着トナー像は、定着手段となる定着装置８に設けられた定着ローラと加圧ローラとにより挟持搬送される間に加熱及び加圧されて未定着トナー像が熱溶融して記録材７に熱定着される。その後、トナー像が定着された記録材７は図示しない排出部により機外に排出される。
【００５３】
転写後に感光ドラム１の表面上に残留した転写残トナーは、クリーニング手段となるクリーニング装置９に設けられたクリーニングブレード９ａにより掻き取られて除去される。
【００５４】
クリーニングブレード９ａにより転写残トナーが除去された感光ドラム１の表面は、除電手段となる前露光ランプ１０により露光されて該感光ドラム１の表面上の電位が消去される。これにより感光ドラム１は再び画像形成に供される。尚、前露光ランプ１０は、無くても良い。
【００５５】
＜現像装置＞
次に、図２及び図３を用いて本実施形態の現像装置４の構成について説明する。本実施形態の現像装置４は、現像剤容器２０を有する。現像剤容器２０内には現像剤としてトナーと磁性キャリアとを含む二成分現像剤が収容されている。
【００５６】
また、現像剤容器２０内には、該現像剤容器２０の枠体に回転可能に設けられ、該現像剤容器２０に設けられた開口１３から感光ドラム１の表面に対向して設けられた現像剤担持体となる現像スリーブ２４を有する。
【００５７】
更に、現像スリーブ２４の表面上に担持された現像剤の穂を規制する穂切り部材としての規制ブレード２５を有している。
【００５８】
本実施形態の現像剤容器２０の内部は、その略中央部が隔壁２３によって現像室２１ａと撹拌室２１ｂとに区画されている。現像剤は、現像室２１ａ及び撹拌室２１ｂ内に収容されている。
【００５９】
現像室２１ａ及び撹拌室２１ｂには、現像剤を撹拌しながら搬送する現像剤搬送手段となる第１、第２の搬送スクリュー２２ａ，２２ｂがそれぞれ配置されている。
【００６０】
第１の搬送スクリュー２２ａは、図２に示す現像室２１ａの底部に現像スリーブ２４の軸方向に沿って略平行に配置されている。第１の搬送スクリュー２２ａが回転することにより現像室２１ａ内の現像剤を該第１の搬送スクリュー２２ａの軸線方向（図３の左方向）に沿って一方向に搬送する。
【００６１】
また、第２の搬送スクリュー２２ｂは、図２に示す撹拌室２１ｂ内の底部に第１の搬送スクリュー２２ａと略平行に配置されている。第２の搬送スクリュー２２ｂが回転することにより撹拌室２１ｂ内の現像剤を第１の搬送スクリュー２２ａとは反対方向（図３の右方向）に沿って一方向に搬送する。
【００６２】
各現像室２１ａ及び撹拌室２１ｂにそれぞれ設けられた第１、第２の搬送スクリュー２２ａ，２２ｂの回転により現像剤が図３に示す隔壁２３の両端部に設けられた開口からなる連通部２６，２７を介して現像室２１ａと撹拌室２１ｂとの間で循環搬送される。
【００６３】
本実施形態では、図２及び図３に示すように、現像室２１ａと撹拌室２１ｂとは水平方向に並設された一例である。他に、現像室２１ａと撹拌室２１ｂとが上下方向に配置された現像装置であっても良いし、他の種々の配置形態の現像装置にも適用可能である。
【００６４】
図２に示すように、本実施形態の現像剤容器２０の枠体の感光ドラム１に対向した現像領域Ｇに相当する位置には開口１３が設けられている。現像スリーブ２４は、開口１３から感光ドラム１に向かって一部露出するように回転可能に設けられている。
【００６５】
本実施形態の現像スリーブ２４の外径直径は２０ｍｍに設定される。また、感光ドラム１の外径直径は８０ｍｍに設定される。また、図２に示す現像領域Ｇにおける現像スリーブ２４と感光ドラム１との間の最近接距離は約４００μｍに設定される。
【００６６】
これにより現像スリーブ２４の表面上に担持された現像剤が該現像スリーブ２４の矢印ｄ方向の回転により現像領域Ｇに到達する。すると、図１の矢印ｃ方向に回転する感光ドラム１の表面に現像剤が磁気ブラシとなって接触した状態で該感光ドラム１の表面に形成された静電潜像にトナーが付与されてトーナ像として現像される。
【００６７】
本実施形態の現像スリーブ２４は、アルミニウムやステンレスのような非磁性材料で構成される。現像スリーブ２４の内部には、図２に示すように、磁界形成手段となるマグネットローラ２４ｍが非回転状態で設けられている。
【００６８】
現像スリーブ２４は、現像時に図２に示す矢印ｄ方向に回転する。現像スリーブ２４の表面上に担持された二成分現像剤は、規制ブレード２５による磁気ブラシの穂切りによって層厚が規制される。
【００６９】
現像スリーブ２４は、規制ブレード２５により層厚が規制された現像剤を感光ドラム１と対向した現像領域Ｇに搬送する。そして、感光ドラム１の表面上に形成された静電潜像に現像剤を供給してトナー像として現像する。
【００７０】
このとき、現像効率となる静電潜像へのトナーの付与率を向上させる。そのために現像スリーブ２４には、図示しない現像電源から直流電圧と交流電圧を重畳した現像バイアス電圧が印加される。
【００７１】
本実施形態の現像バイアス電圧は、−５００Ｖの直流電圧と、ピーク間（ピーク・ツウ・ピーク）の電圧Ｖｐｐが１８００Ｖ、周波数ｆが１２ｋＨｚの交流電圧とを重畳した。しかし、直流電圧の値や交流電圧の波形等は、これに限定されるものではない。
【００７２】
一般に、二成分現像剤を用いた磁気ブラシ現像法においては、現像バイアス電圧として交流電圧を印加すると、現像効率が増す。これにより現像されたトナー像は、高品位になる。その反面、カブリが発生し易くなる。
【００７３】
このため現像スリーブ２４に現像バイアス電圧として印加する直流電圧と、感光ドラム１の表面の帯電電位（白地部電位）との間に電位差を設ける。これによりカブリを防止することができる。
【００７４】
規制ブレード２５は、現像スリーブ２４の長手方向（軸線方向）に沿って延在したアルミニウム等で形成された板状の非磁性部材により構成される。規制ブレード２５は、図２に示す現像領域Ｇよりも図２の矢印ｄ方向で示す現像スリーブ２４の回転方向上流側に設けられている。
【００７５】
規制ブレード２５の先端部２５ａと、現像スリーブ２４の表面との間を二成分現像剤のトナーと磁性キャリアとの両方が通過して感光ドラム１の表面が対向する現像領域Ｇへと送られる。
【００７６】
規制ブレード２５の先端部２５ａと、現像スリーブ２４の表面との間隙を調整する。これにより現像スリーブ２４の表面上に担持した二成分現像剤からなる磁気ブラシの穂切り量が規制される。これにより現像スリーブ２４の表面に担持された現像領域Ｇに搬送される現像剤量が調整される。
【００７７】
本実施形態では、規制ブレード２５により現像スリーブ２４の表面上の単位面積当りの現像剤コート量を３０ｍｇ／ｃｍ２に規制している。
【００７８】
尚、規制ブレード２５の先端部２５ａと、現像スリーブ２４の表面との間隙は、２００μｍ〜１０００μｍの範囲で設定すれば良く、好ましくは、３００μｍ〜７００μｍである。本実施形態では、規制ブレード２５の先端部２５ａと、現像スリーブ２４の表面との間隙を５００μｍに設定した。
【００７９】
図２に示す現像領域Ｇにおいて、現像装置４に設けられた現像スリーブ２４は、図２の矢印ｃ方向に回転する感光ドラム１の移動方向に対して順方向となる図２の矢印ｄ方向に回転して移動する。
【００８０】
本実施形態の現像スリーブ２４の表面の周速度は、感光ドラム１の表面の周速度に対して１．７５倍に設定されている。現像スリーブ２４の表面の周速度は、感光ドラム１の表面の周速度に対して３．０倍以下に設定される。
【００８１】
好ましくは、現像スリーブ２４の表面の周速度は、感光ドラム１の表面の周速度に対して０．５倍〜２．０倍の間に設定すれば良い。感光ドラム１の表面の周速度に対する現像スリーブ２４の表面の周速度の倍率（以下、「移動速度比」という）は、大きくなればなるほど現像効率は向上する。しかし、移動速度比が、あまり大き過ぎると、トナーの飛散や現像剤の劣化等の問題点が発生する。このため前述の範囲内で移動速度比を設定することが好ましい。
【００８２】
＜二成分現像剤＞
次に、本実施形態で用いられるトナーと磁性キャリアとを含む二成分現像剤について説明する。
【００８３】
トナーは、結着樹脂、着色剤、そして、必要に応じてその他の添加剤を含む着色樹脂粒子と、コロイダルシリカ微粉末等の外添剤が外添されている着色粒子とを有している。
【００８４】
トナーは、負帯電性のポリエステル系樹脂であり、体積平均粒径は４μｍ以上、１０μｍ以下が好ましい。より好ましくは、８μｍ以下である。
【００８５】
また、磁性キャリアは、例えば、表面酸化、或いは、未酸化の鉄、ニッケル、コバルト、マンガン、クロム、希土類等の金属、及びそれらの合金、或いは、酸化物フェライト等が好適に使用可能である。これらの磁性粒子の製造法は特に制限されない。
【００８６】
磁性キャリアは、重量平均粒径が２０μｍ〜６０μｍに設定される。好ましくは、３０μｍ〜５０μｍである。電気抵抗率は、１×１０７Ωｃｍ以上に設定される。好ましくは、１×１０８Ωｃｍ以上である。本実施形態では、磁性キャリアの電気抵抗率が１×１０８Ωｃｍのものを用いた。
【００８７】
尚、本実施形態で用いられるトナーの体積平均粒径は、以下に示す測定装置及び測定方法により測定した。測定装置としては、ベックマン・コールター株式会社製のコールターカウンターＴＡ−II型、個数平均分布、体積平均分布を出力するための日科機バイオス株式会社製のインターフェース等を使用した。電解水溶液として、一級塩化ナトリウムを用いて調製した１％ＮａＣｌ水溶液を使用した。
【００８８】
測定方法は、前述した電解水溶液の１００ｍｌ〜１５０ｍｌ中に分散剤として界面活性剤、好ましくは、アルキルベンゼンスルホン酸塩を０．１ｍｌ加え、更に、０．５ｍｇ〜５０ｍｇの測定試料を加える。
【００８９】
測定試料を懸濁した電解水溶液は、超音波分散器で約１分〜３分間の分散処理を行なう。そして、前述のコールターカウンターＴＡ−II型により１００μｍのアパーチャーを用いて２μｍ〜４０μｍの粒子の粒度分布を測定して体積平均分布を求める。こうして求めた体積平均分布から体積平均粒径を得る。
【００９０】
本実施形態で用いられる磁性キャリアの電気抵抗率は、測定電極面積が４ｃｍ２、電極間間隔が０．４ｃｍのサンドイッチタイプのセルを用いて測定した。片方の電極に１ｋｇの重量（９．８Ｎ）の加圧下で、両電極間に電界の強さＥ（Ｖ／ｃｍ）を形成する電圧を印加して、回路に流れた電流から磁性キャリアの電気抵抗率を得る方法によって測定した。
【００９１】
＜現像剤の補給方法＞
次に、図２及び図３を用いて本実施形態における現像剤の補給方法について説明する。
【００９２】
図２に示すように、現像装置４の撹拌室２１ｂの上部には、トナーと磁性キャリアを混合した補給用二成分現像剤を収容する現像剤補給手段となるホッパー３１が設けられている。
【００９３】
ホッパー３１の下部には、補給スクリュー３２が設けられた補給経路１４が設けられている。補給スクリュー３２の長手方向の一端部（図３の右端部）は、現像装置４の前端部に設けられた補給口３０の位置まで延びている。
【００９４】
画像形成によって消費された分のトナーは、補給スクリュー３２の回転力と、現像剤の重力によりホッパー３１から補給経路１４を介して補給口３０まで搬送され、該補給口３０を通過して現像剤容器２０の撹拌室２１ｂ内に補給される。
【００９５】
ホッパー３１から現像装置４に補給される補給現像剤の補給量は、補給スクリュー３２の回転数により概ね定められる。補給スクリュー３２の回転数は、現像剤補給量制御手段を兼ねるプリンタ制御部３００によって以下の通り制御される。
【００９６】
図４に示すビデオ信号カウント部２１４によりカウントされたビデオカウント値を考慮する。更に、感光ドラム１の表面上に形成した基準の静電潜像を現像したときのトナー像（パッチ画像）の濃度を検知する図１に示すパッチ濃度センサ１１の検知結果を考慮する。更に、図２及び図３に示す排出口４３に設けられた排出経路４６に設けられたインダクタンス検知センサ４５の検知結果を考慮する。これらの検知結果に基づいて、現像剤補給量制御手段を兼ねるプリンタ制御部３００によって駆動源となるモータ３７が駆動制御されて補給スクリュー３２の回転数が制御される。
【００９７】
＜ビデオカウント値＞
次に、図４を用いてビデオカウント値について説明する。図４は、本実施形態の画像形成装置１２の画像処理ユニットの構成を示すブロック図である。図４において、２１３は外部入力インタフェース（外部入力Ｉ／Ｆ）である。
【００９８】
画像形成装置１２は、外部入力インタフェース２１３を介して必要に応じて原稿スキャナ、コンピュータ（情報処理装置）等の図示しない外部装置からＲＧＢ画像データとしてカラー画像データを入力する。ここで、ＲＧＢとは、赤（Red）、緑（Green）、青（Blue）の三原色をいう。
【００９９】
ＬＯＧ（対数）変換部２０４は、ＲＯＭ（Read Only Memory；リードオンリメモリ）２１０に格納されているデータ等により構成されるルックアップテーブル（ＬＵＴ；Look-Up-Table）に基づいて以下の通りである。入力されたＲＧＢ画像データの輝度データをＣＭＹの濃度データ（ＣＭＹ画像データ）に変換する。ここで、ＣＭＹとは、Ｃ（シアン）、Ｍ（マゼンタ）、Ｙ（イエロー）の各色である。
【０１００】
２０５はマスキングＵＣＲ部である。ここで、ＵＣＲとは「Under Color Removal」（下色除去）のことである。カラー原稿を４色分解するときに、Ｃ（シアン）・Ｍ（マゼンタ）・Ｙ（イエロー）の３色が重なった部分にはグレーの成分が発生する。その成分をスミ版（ブラック版）に置き換えるときの方式で、ある程度以上の濃さのグレー成分をスミ版に置き換えてトータルの画像データ量を減らすことを目的としている。
【０１０１】
ＣＭＹ画像データからＫ（ブラック）成分データを抽出し、記録色材の色濁りを補正すべく、ＣＭＫＹ画像データにマトリクス演算を施す。ここで、ＣＭＫＹとは、Ｃ（シアン）、Ｍ（マゼンタ）、Ｋ（ブラック）、Ｙ（イエロー）の各色である。
【０１０２】
２０６はルックアップテーブル部（ＬＵＴ部）であり、画像データをプリンタ部の理想的な階調特性に合わせるためにガンマルックアップテーブル（γルックアップテーブル）を用いて入力されたＣＭＹＫ画像データの各色毎に濃度補正を施す。
【０１０３】
尚、γルックアップテーブルは、ＲＡＭ（Randon Access Memory；ランダムアクセスメモリ）２１１上に展開されたデータに基づいて作成される。そのテーブル内容はＣＰＵ２０９によって設定される。
【０１０４】
２０７はパルス幅変調部であり、ＬＵＴ部２０６から入力された画像データ（画像信号）のレベルに対応するパルス幅のパルス信号を出力する。このパルス信号に基づいてレーザドライバ１０２がレーザスキャナ３を駆動し、感光ドラム１の表面上にレーザ光３ａを照射することで静電潜像が形成される。
【０１０５】
ビデオ信号カウント部２１４は、ＬＵＴ部２０６に入力された画像データの６００ｄｐｉ（ドット／インチ）の１画素毎のレベル（０〜２５５レベル）を画像の１面分を積算する。この画像データ積算値を、ビデオカウント値という。
【０１０６】
このビデオカウント値は、出力画像の全面が２５５レベルだった場合に、最大値の１０２３となる。尚、回路の構成上、制限があるときは、ビデオ信号カウント部２１４の代わりにレーザ信号カウント部２１５を用いてレーザドライバ１０２からの画像信号を同様に計算する。これによりビデオカウント値を求めることが可能である。
【０１０７】
＜現像剤の排出方法＞
次に、図２及び図３を用いて本実施形態における現像剤の排出方法について説明する。
【０１０８】
現像装置４の現像剤容器２０の壁面には、該現像剤容器２０内（現像剤容器内）にトナーを補給する補給装置となるホッパー３１により該現像剤容器２０内に現像剤が補給されることにより余剰となった現像剤を排出する排出口４３が設けられている。
【０１０９】
現像装置４内で劣化した現像剤１５ｄが排出口４３から排出経路４６を図３の矢印ｈ方向に排出される。
【０１１０】
ホッパー３１からの現像剤の補給工程により現像装置４内の現像剤が増加する。すると、補給された現像剤の増加量に応じて、現像装置４内の現像剤は、排出口４３から溢れ出るように排出される。
【０１１１】
排出口４３から排出された現像剤１５ｄは、排出経路４６に設けられた搬送部材となる回収スクリュー４４の回転により図示しない回収容器に搬送される。
【０１１２】
＜二成分現像剤のトナー濃度の測定方法＞
次に、排出口４３から排出された現像剤１５ｄのトナー濃度を検知するトナー濃度検知手段となるインダクタンス検知センサ４５を用いた二成分現像剤のトナー濃度の測定方法について説明する。
【０１１３】
＜インダクタンス検知センサ＞
先ず、本実施形態の特徴となるインダクタンス検知センサ４５は以下の通りである。図２、図３、及び図５に示すように、現像剤容器２０の外側に設けられた初期の磁性キャリアと、耐久に使用された磁性キャリアとが入れ替わるＡＣＲ（Auto Carrier Refresh）の排出経路４６に設けられる。更に、インダクタンス検知センサ４５は、排出口４３の直下に設けられている。
【０１１４】
ここで、インダクタンス検知方式の自動トナー補給（ＡＴＲ；Auto Toner Replenishment）では、二成分現像剤は、磁性キャリアと、非磁性トナーとを主成分としている。
【０１１５】
現像剤のトナー濃度となるＴ／Ｄ（磁性キャリア粒子重量Ｃと、非磁性トナー粒子重量Ｔとの合計重量Ｄに対する非磁性トナー粒子重量Ｔの割合）が変化する。すると、磁性キャリアと非磁性トナーとの混合比率による見かけの透磁率が変化する。
【０１１６】
トナーと磁性キャリアとを含む二成分現像剤の見かけの透磁率をインダクタンス検知センサ４５によって検知し、電気信号に変換して出力電圧Ｖとする。インダクタンス検知センサ４５の出力電圧Ｖは以下の通りである。現像剤１５ｄの嵩密度が一定で該インダクタンス検知センサ４５の磁界の強度を制御する制御電圧Ｖｃを一定（本実施形態では５．０Ｖ）にした場合は、図６の直線ｐで示す通りである。図６の横軸で示すトナー濃度の変化に応じて、図６の縦軸で示すインダクタンス検知センサ４５の出力電圧Ｖは略直線的に変化する。
【０１１７】
即ち、インダクタンス検知センサ４５からの出力電圧Ｖは、現像剤容器２０内に充填された二成分現像剤の実際のトナー濃度に比例する。
【０１１８】
図７は、本実施形態のインダクタンス検知センサ４５からの出力電圧Ｖの時間変化の様子を示す図である。
【０１１９】
本実施形態では、図２、図３、及び図５に示すように、現像剤容器２０の外側に設けた排出経路４６において、排出口４３の直下にインダクタンス検知センサ４５を設けた。この場合、インダクタンス検知センサ４５の出力電圧Ｖは、図７に示すような時間変化を見せる。
【０１２０】
ここで、排出口４３から排出された現像剤１５ｄを搬送して回収する搬送部材となる回収スクリュー４４は回転していない場合を考慮する。更に、現像スリーブ２４、現像室２１ａに設けられた第１の搬送スクリュー２２ａ、撹拌室２１ｂに設けられた第２の搬送スクリュー２２ｂは、それぞれ回転して通常の画像形成を行なっている場合を考慮する。
【０１２１】
図７の横軸は、現像スリーブ２４、第１の搬送スクリュー２２ａ、及び第２の搬送スクリュー２２ｂが同時に回転し始めてからの経過時間を示す。図７の縦軸は、経過時間とともに変化するインダクタンス検知センサ４５の出力電圧Ｖを示す。現像剤１５ｄのトナー濃度（Ｔ／Ｄ比）は８％である。
【０１２２】
即ち、回収スクリュー４４が回転していない場合、排出口４３から排出経路４６に排出される劣化した現像剤１５ｄはインダクタンス検知センサ４５のセンサ面上に降り積もっていく。
【０１２３】
図７に示す曲線ｉで示すように、先ず、現像スリーブ２４等が回転し始める寸前までは、排出口４３からインダクタンス検知センサ４５のセンサ面上に排出される劣化した現像剤１５ｄは全く無い。
【０１２４】
このためインダクタンス検知センサ４５により検知する透磁率は、略「０」となり、インダクタンス検知センサ４５の出力電圧Ｖも略０Ｖとなる。
【０１２５】
次に、排出口４３から劣化した現像剤１５ｄの排出が始まると、インダクタンス検知センサ４５のセンサ面上に徐々に劣化した現像剤１５ｄが降り積もっていく。
【０１２６】
このためインダクタンス検知センサ４５が検知する透磁率は、徐々に大きくなり、出力電圧Ｖも大きくなっていく。更に、排出口４３からの劣化した現像剤１５ｄの排出が続くと、図５に示すように、インダクタンス検知センサ４５のセンサ面上は、劣化した現像剤１５ｄで覆われる。
【０１２７】
インダクタンス検知センサ４５のセンサ面上の劣化した現像剤１５ｄは、新たに排出口４３から排出されて降り積もってくる劣化した現像剤１５ｄの自重により押し潰されて該センサ面上の劣化した現像剤１５ｄの嵩密度が大きくなる。
【０１２８】
これに伴ってインダクタンス検知センサ４５が検知する透磁率は大きくなり、図７に示すようにインダクタンス検知センサ４５の出力電圧Ｖも大きくなっていく。
【０１２９】
インダクタンス検知センサ４５のセンサ面上の劣化した現像剤１５ｄの嵩密度の変化は、新たなに降り積もる劣化した現像剤１５ｄの重さによって押し潰される最大の嵩密度に至ると飽和する。これに伴ってインダクタンス検知センサ４５が検知する透磁率も飽和し、出力電圧Ｖも飽和する。
【０１３０】
＜第一実験＞
ここで、以下のような第一実験を行なった。インダクタンス検知センサ４５の磁界の強度を制御する制御電圧Ｖｃを一定（本実施形態では５．０Ｖ）とする。環境条件を温度が２３℃、湿度が５０％に固定した状態でトナー濃度（Ｔ／Ｄ比）が６％、８％、１０％の現像剤をそれぞれ現像剤容器２０内に十分に充填する。
【０１３１】
そして、現像スリーブ２４、第１の搬送スクリュー２２ａ、第２の搬送スクリュー２２ｂをそれぞれ通常の画像形成時と同じ条件で回転させる。そして、排出口４３から現像剤１５ｄを溢れ出させて該排出口４３の直下に設けたインダクタンス検知センサ４５の出力電圧Ｖの時間変化を調べた。その結果を図８に示す。
【０１３２】
図８に示す曲線ｊ，ｉ，ｍは、それぞれトナー濃度（Ｔ／Ｄ比）が６％、８％、１０％の現像剤のインダクタンス検知センサ４５の出力電圧Ｖの時間変化を示す。図８に示す曲線ｊ，ｉ，ｍは、インダクタンス検知センサ４５の出力電圧Ｖがそれぞれ３．１Ｖ、２．５Ｖ、１．９Ｖに向かって飽和していく。
【０１３３】
これは、図６に示すように、インダクタンス検知センサ４５は、トナー濃度（Ｔ／Ｄ比）が高いほど、見かけ上の透磁率が小さくなり、出力電圧Ｖが小さくなる性質があるからである。
【０１３４】
また、図８において、トナー濃度（Ｔ／Ｄ比）が６％、８％、１０％の現像剤のインダクタンス検知センサ４５の出力電圧Ｖが飽和する時間は異なっている。
【０１３５】
ここで、単位時間当たりのインダクタンス検知センサ４５の出力電圧Ｖの変化が０．００２Ｖ以下になったときをインダクタンス検知センサ４５の出力電圧Ｖが飽和した時間と定める。
【０１３６】
すると、トナー濃度（Ｔ／Ｄ比）が６％、８％、１０％の現像剤のインダクタンス検知センサ４５の出力電圧Ｖが飽和する時間は、図８の曲線ｊ，ｉ，ｍで示すように、それぞれ７０秒、４５秒、２５秒となる。
【０１３７】
これは、トナー濃度が低く、トリボ（帯電量／トナー重量）が高いときの方が以下の通りである。インダクタンス検知センサ４５のセンサ面上の現像剤１５ｄが直上の排出口４３から排出されて新たに降り積もる現像剤１５ｄの自重によって押し潰され難く、嵩密度が飽和し難いからだと考えられる。
【０１３８】
本実施形態では、図９に示すフローチャートに従ってインダクタンス検知センサ４５の出力電圧Ｖをトナー濃度（Ｔ／Ｄ比）に変換した。
【０１３９】
先ず、ステップＳ１０１において、インダクタンス検知センサ４５の検知制御動作を開始する。ステップＳ１０２において、制御手段となるプリンタ制御部３００は、インダクタンス検知センサ４５の出力電圧Ｖを検知する。その検知した出力電圧ＶをＡ値として記憶手段となるメモリ１６に記憶して格納する。
【０１４０】
次に、ステップＳ１０３において、プリンタ制御部３００は、前記ステップＳ１０２でＡ値を測定した時刻から経過する時間を時間測定手段となるタイマ１７により測定する。
【０１４１】
プリンタ制御部３００は、前記ステップＳ１０２でＡ値を測定した時刻からタイマ１７によりＸ秒が測定された時刻（Ｘ秒後）に検知したインダクタンス検知センサ４５の出力電圧ＶをＢ値としてメモリ１６に記憶して格納する。
【０１４２】
次に、ステップＳ１０４において、プリンタ制御部３００は、以下の数１式で示す不等式を計算する。
【０１４３】
［数１］
（Ｂ−Ａ）／Ｘ＜０．００２（Ｖ／秒）
【０１４４】
次に、ステップＳ１０５において、プリンタ制御部３００は、前記数１式で示す不等式の不等号が成立するか否かを判断する。
【０１４５】
インダクタンス検知センサ４５のセンサ面上に排出口４３から排出されて降り積もっている現像剤量が十分でなければ、図８の曲線ｊ，ｉ，ｍの左側に示すように、インダクタンス検知センサ４５の出力電圧Ｖは変化している途中にある。このため前記数１式で示す不等式の不等号は成立しない。
【０１４６】
この場合は、前記ステップＳ１０２に戻って、前記ステップＳ１０２〜Ｓ１０５を繰り返す。即ち、前記ステップＳ１０３において再びＸ秒後にインダクタンス検知センサ４５の出力電圧Ｖを測定する。
【０１４７】
一方、インダクタンス検知センサ４５のセンサ面上に排出口４３から排出された現像剤１５ｄが十分に降り積もっている場合を考慮する。そして、現像剤１５ｄの自重によりインダクタンス検知センサ４５のセンサ面上の現像剤１５ｄの嵩密度が飽和している場合を考慮する。
【０１４８】
その場合は、図８の曲線ｊ，ｉ，ｍの右側に示すように、インダクタンス検知センサ４５の出力電圧Ｖは飽和している。このとき前記数１式で示す不等式の不等号は成立する。
【０１４９】
次に、ステップＳ１０６に進んで、プリンタ制御部３００は、前記ステップＳ１０３で検知したインダクタンス検知センサ４５の出力電圧ＶのＢ値をインダクタンス検知センサ４５の出力電圧Ｖとして確定する。そして、図６に示す直線ｐを用いてトナー濃度（Ｔ／Ｄ比）に換算する。
【０１５０】
プリンタ制御部３００は、前記ステップＳ１０６で換算したトナー濃度（Ｔ／Ｄ比）を現像剤容器２０内の現像剤のトナー濃度検知結果とする。
【０１５１】
プリンタ制御部３００は、ステップＳ１０６で換算したトナー濃度（Ｔ／Ｄ比）を現像剤容器２０内の現像剤のトナー濃度検知結果としてトナー補給量制御にフィードバックする。
【０１５２】
その後、ステップＳ１０７において、前記ステップＳ１０３で検知したＢ値を前記ステップＳ１０６でトナー濃度（Ｔ／Ｄ比）に変換した後、プリンタ制御部３００は、駆動源となるモータ１８を回転駆動して回収スクリュー４４を回転させる。そして、トナー濃度を検知し終わった現像剤を回収して、次のトナー濃度検知に備える。
【０１５３】
即ち、制御手段となるプリンタ制御部３００は、インダクタンス検知センサ４５の出力電圧Ｖ（検知結果）に基づいて画像形成装置１２の画像形成条件を制御する。プリンタ制御部３００は、インダクタンス検知センサ４５により第１の検知タイミングで検知した第１の検知結果を考慮する。更に、該第１の検知タイミングから所定時間が経過した第２の検知タイミングで検知した第２の検知結果を考慮する。これらの検知結果の関係が所定の変化率よりも小さくなったときの該第２の検知結果に基づいて画像形成装置１２の画像形成条件を制御する。
【０１５４】
具体的には、インダクタンス検知センサ４５により第１の検知タイミングで検知した出力電圧Ｖ（第１の検知結果）をＡ（Ｖ）とする。更に、該第１の検知タイミングから所定時間Ｘ秒が経過した第２の検知タイミングで検知した出力電圧Ｖ（第２の検知結果）をＢ（Ｖ）とする。すると、前記数１式を満たすときプリンタ制御部３００は、第２の検知結果であるＢ（Ｖ）に基づいて画像形成装置１２の画像形成条件を制御する。
【０１５５】
＜検出間隔＞
ここで、インダクタンス検知センサ４５の出力電圧Ｖの検出間隔のＸ秒について説明する。例えば、インダクタンス検知センサ４５の出力電圧Ｖの検出間隔を１秒に固定した場合を考慮する。
【０１５６】
この場合、排出口４３から排出される現像剤１５ｄの排出量が十分ある場合は良いが、現像剤１５ｄの排出量が少ない場合には以下の通りである。一定時間後のインダクタンス検知センサ４５の出力電圧Ｖが殆ど変わらずに、現像剤１５ｄの自重による圧縮で嵩密度が飽和する前の状態で以下の通りである。つまり未だ現像剤１５ｄの嵩密度が小さい状態におけるインダクタンス検知センサ４５の出力電圧Ｖをトナー濃度に変換してしまう。このためインダクタンス検知センサ４５の出力電圧Ｖの検出間隔のＸ秒は、排出口４３から排出される現像剤１５ｄの排出量によって変更する必要がある。
【０１５７】
＜現像剤排出特性＞
ここで、本実施形態の現像装置４の現像剤排出特性について説明する。現像装置４の現像剤排出特性は、排出口４３の大きさや位置、或いは、現像剤搬送部材である第１、第２の搬送スクリュー２２ａ，２２ｂの螺旋状羽根２２ａ２，２２ｂ２の大きさや回転速度等で決まる搬送能力によって異なる。
【０１５８】
本実施形態では、排出口４３は、縦（図５の上下方向の幅）が１５ｍｍで、横（図３の左右方向で示す撹拌室２１ｂ内の現像剤搬送方向に略平行な長さ）が１０ｍｍの長方形の穴により構成される。
【０１５９】
また、排出口４３の位置は、図２に示す排出口４３の下方端部が第２の搬送スクリュー２２ｂの回転軸２２ｂ１の回転中心から５ｍｍ上方に配置される。更に、排出口４３の撹拌室２１ｂ内の現像剤搬送方向の上流側端部が図３に示す連通部２６側の隔壁２３の端部から撹拌室２１ｂ内の現像剤搬送方向の上流側に５ｍｍの位置に設定される。
【０１６０】
一方、第１の搬送スクリュー２２ａと、第２の搬送スクリュー２２ｂとは、同様に構成される。外径直径が８ｍｍの回転軸２２ａ１，２２ｂ１に、軸方向に沿ってピッチが３０ｍｍで、外径直径が２８ｍｍの螺旋状羽根２２ａ２，２２ｂ２が設けられている。
【０１６１】
第１、第２の搬送スクリュー２２ａ，２２ｂは、図４に示すの駆動源となる共通のモータ１９により回転駆動される。第１、第２の搬送スクリュー２２ａ，２２ｂの回転速度は、３００ｒｐｍ（rotation per minute)〜４００ｒｐｍの間で可変である。現像スリーブ２４の駆動源となるモータ２８は、第１、第２の搬送スクリュー２２ａ，２２ｂの駆動源となるモータ１９とは個別に設けられる。
【０１６２】
ここで、本発明者らは本実施形態の現像装置４の現像剤排出特性を調べるために以下のような第二実験を行った。
【０１６３】
＜第二実験＞
任意の現像剤量を現像剤容器２０内に入れ、１分間、現像スリーブ２４と、第１、第２の搬送スクリュー２２ａ，２２ｂとを回転させる。これにより現像剤の剤面を安定させる。
【０１６４】
その後、更に１分間、現像スリーブ２４と、第１、第２の搬送スクリュー２２ａ，２２ｂとを回転させる。その間に排出口４３から溢れ出てくる現像剤１５ｄの重量を測定した。
【０１６５】
現像スリーブ２４の回転速度は、３５０ｒｐｍに固定し、第１、第２の搬送スクリュー２２ａ，２２ｂの回転速度を４００ｒｐｍに設定して排出口４３から溢れ出てくる現像剤１５ｄの重量を測定した。
【０１６６】
また、現像剤容器２０内の現像剤の非磁性トナー粒子重量Ｔと、該非磁性トナー粒子重量Ｔと磁性キャリア粒子重量Ｃとの合計重量ＤとのＴ／Ｄ比は、８／９２（Ｔ／Ｄ比＝８．６９％）とした。
【０１６７】
実際の画像形成装置１２の使用時には、Ｔ／Ｄ比は約６％〜１２％の範囲で変動する。本第二実験では、代表としてＴ／Ｄ比が８．６９％の現像剤を用いて実験を行った。
【０１６８】
本実施形態の現像装置４の現像剤排出特性は、図10の曲線ｎで示す現像剤量と排出量との関係で表わされる。図10の横軸は、現像剤容器２０内の現像剤量である。図10の縦軸は以下の通りである。本実施形態の画像形成装置１２がＡ３サイズの１枚の記録材７の片面あたりに必要とする現像スリーブ２４と、第１、第２の搬送スクリュー２２ａ，２２ｂの回転時間の間に以下の通りである。排出口４３から排出される現像剤の重量（ｍｇ／Ａ３サイズの片面）を排出量として示す。
【０１６９】
本実施形態では、画像形成装置１２に使用される最大サイズであるＡ３サイズの記録材７に換算して１分間に４０枚の印刷を行なう。
【０１７０】
このため現像スリーブ２４と、第１、第２の搬送スクリュー２２ａ，２２ｂの回転時間は１．５秒（＝６０秒／４０枚）である。そして、１．５秒の間に排出口４３から排出される現像剤の重量（ｍｇ／Ａ３サイズの片面）を排出量とした。
【０１７１】
図10の曲線ｎで示すように、現像剤排出特性は、現像剤容器２０内の現像剤量が少ないと、排出口４３から排出される現像剤１５ｄの排出量が少なくなる。また、現像剤容器２０内の現像剤量が増えると、排出口４３から排出される現像剤１５ｄの排出量が急激に増える傾向がある。
【０１７２】
次に、現像剤の補給量と、排出量とのバランスによる現像剤量の変動、及び現像剤排出特性の制御方法について説明する。
【０１７３】
＜混合比率＞
先ず、補給現像剤のトナーと磁性キャリアとの混合比率について説明する。本実施形態において、現像剤容器２０に補給される補給現像剤は、トナーと磁性キャリアとが混合された現像剤である。
【０１７４】
この補給現像剤の補給量は、図４のビデオ信号カウント部２１４から出力されるビデオカウント値と、パッチ濃度センサ１１の検知結果とに基づいてプリンタ制御部３００により制御される。
【０１７５】
短期的な視点から見ると、出力画像及び制御用のパッチ画像で消費されたトナー量に対して、同じ量だけトナーを含むように、補給現像剤を補給すれば良い。従って、補給現像剤のトナーと磁性キャリアとの混合比率によって、必要な補給量は異なる。
【０１７６】
即ち、磁性キャリアの混合比率が高い程、必要な補給量が増えてコストが増大する。その反面、新しい磁性キャリアが大量に補給されるため常に安定した帯電量をトナーに付与することができるメリットがある。
【０１７７】
一方、磁性キャリアの混合比率が低い程、必要な補給量が減ってランニングコストが削減できる。その反面、現像剤容器２０内の現像剤に含まれる劣化した磁性キャリアの比率が増える。
【０１７８】
このためトナーに付与する帯電量が不安定になり、長期に渡る画質の安定が困難になるデメリットがある。補給現像剤におけるトナーと磁性キャリアとの混合比率は、磁性キャリアの混合比率が０％〜２０％程度で使用される。本実施形態における、補給現像剤のトナーと磁性キャリアとの混合比率は９：１である。
【０１７９】
次に、現像剤の補給量と排出量とがどのようにバランスするかについて説明する。補給量については、短期的な視点から見ると、出力画像及び制御用のパッチ画像で消費されたトナー量に対して、同じ量だけトナーを含むように、補給現像剤を補給すれば良い。
【０１８０】
例えば、出力画像がＡ３サイズの片面の全面で２５５レベルの画像だった場合（ビデオカウント値は１０２３）、このときの出力画像に使用するトナー消費量は約９００ｍｇである。
【０１８１】
従って、同じ混合比率でトナーを含むように補給現像剤を補給する必要がある。その補給量は、トナーと磁性キャリアとの混合比率が９：１である。これによりトナーが９００ｍｇと磁性キャリアが１００ｍｇとで合計で１０００ｍｇの補給現像剤を補給することになる。
【０１８２】
例えば、出力画像がＡ３サイズの片面の全面で０レベルの画像（即ち、トナー像を形成しない）だった場合（ビデオカウント値は０）、このときの出力画像に使用するトナー消費量は、Ａ３サイズの片面全面でのカブリトナー量に相当し、約８ｍｇである。
【０１８３】
ただし、本実施形態の画像形成装置１２では、感光ドラム１の表面上の基準潜像を現像してそのトナー像の濃度を検知するパッチ濃度センサ１１を用いて画像濃度の安定制御を行っている。
【０１８４】
このためパッチ画像を形成するために少量のトナー（Ａ３サイズの記録材７の片面で１枚あたり約１ｍｇ）を消費している。これにより出力画像がＡ３サイズの片面の全面で０レベルの画像だった場合、このときの出力画像とパッチ画像との合計のトナー消費量は約９ｍｇである。
【０１８５】
従って、同じ混合比率でトナーを含むように補給現像剤を補給する必要があり、その補給量は、トナーと磁性キャリアとの混合比率が９：１である。これによりトナーが９ｍｇと、磁性キャリアが１ｍｇとで合計で１０ｍｇの補給現像剤を補給することになる。
【０１８６】
尚、ビデオカウント値が１０２３の場合では、出力画像によるトナー消費量が多いためパッチ画像形成によるトナー消費に関しては無視できる。
【０１８７】
図11は、出力画像に依存するトナー及び磁性キャリアについての補給量と、消費量との関係を示す。
【０１８８】
図11に示すように、例えば、現像剤容器２０内の現像剤量が２００ｇの時点からビデオカウント値が１０２３の画像を出力した場合を考える。このとき、現像剤容器２０内からは、トナーが９００ｍｇ消費される。
【０１８９】
一方、補給現像剤が１０００ｍｇ補給される。このためトータルで考えると、現像剤容器２０内の現像剤量は、補給現像剤に含まれる磁性キャリアの量が１００ｍｇ分増加する。
【０１９０】
従って、ビデオカウント値が１０２３の画像を連続で出力し続けると、１００ｍｇづつ現像剤容器２０内の現像剤量が増え続ける。しかし、図10に示す現像剤排出特性の曲線ｎから分かるように、逆に現像剤容器２０内の現像剤量が増加していけば排出口４３から排出される現像剤１５ｄの排出量も増えていく。
【０１９１】
例えば、図10に示すように、第１、第２の搬送スクリュー２２ａ，２２ｂの回転速度が４００ｒｐｍのときには、現像剤量が３６０ｇまで増加すると、Ａ３サイズの記録材７の片面で１枚あたりに１００ｍｇの現像剤１５ｄを排出口４３から排出する。
【０１９２】
従って、ビデオカウント値が１０２３の画像を連続で出力し続けていると、現像剤容器２０内の現像剤量が３６０ｇまで増加したところで以下の通りである。現像剤容器２０内に補給される補給現像剤の量（１０００ｍｇ）に対して、出力画像により消費されるトナー量（９００ｍｇ）と、排出口４３から排出される現像剤１５ｄの排出量（１００ｍｇ）との和（１０００ｍｇ）がバランスして現像剤量の増加は止まる。
【０１９３】
次に、現像剤容器２０内の現像剤量が３６０ｇの時点からビデオカウント値が０の画像を出力した場合を考える。このとき、現像剤容器２０内からトナーが９ｍｇ消費される。
【０１９４】
一方、補給現像剤が１０ｍｇ補給される。更に、図10に示すように、第１、第２の搬送スクリュー２２ａ，２２ｂの回転速度が４００ｒｐｍのときは、現像剤容器２０内の現像剤量が３６０ｇの時点で排出口４３から１００ｍｇの現像剤１５ｄが排出される。
【０１９５】
このためトータルで考えると、現像剤容器２０内の現像剤量は、９９ｍｇ（＝１０ｍｇ−９ｍｇ−１００ｍｇ）減ることになる。
【０１９６】
従って、ビデオカウント値が０の画像を連続で出力し続けると、現像剤容器２０内の現像剤量は、９９ｍｇづつ減り続ける。しかし、図10に示す現像剤排出特性の曲線ｎから分かるように、逆に現像剤容器２０内の現像剤量が減少していけば排出口４３から排出される現像剤１５ｄの排出量も減っていく。
【０１９７】
例えば、図10の曲線ｎで示すように、第１、第２の搬送スクリュー２２ａ，２２ｂの回転速度が４００ｒｐｍのときには以下の通りである。現像剤容器２０内の現像剤量が２６０ｇまで減少すると、Ａ３サイズの記録材７の片面で１枚あたりに１ｍｇの現像剤１５ｄが排出口４３から排出される。
【０１９８】
従って、ビデオカウント値が０の画像を連続で出力し続けていると、現像剤容器２０内の現像剤量が２６０ｇまで減少したところで以下の通りである。現像剤容器２０内に補給される補給現像剤の量（１０ｍｇ）に対して、出力画像により消費されるトナー量（９ｍｇ）と、排出口４３から排出される現像剤１５ｄの排出量（１ｍｇ）の和（１０ｍｇ）がバランスして現像剤量の減少は止まる。
【０１９９】
このように、現像剤容器２０内の現像剤量と、排出口４３から排出される現像剤１５ｄの排出量は、出力画像のトナー消費量が多いほど（即ち、ビデオカウント値が大きいほど）現像剤容器２０内の現像剤量は増加する。そして、排出口４３から排出される現像剤１５ｄの排出量も多くなる。
【０２００】
また、出力画像のトナー消費量が少ないほど（即ち、ビデオカウント値が小さいほど）現像剤容器２０内の現像剤量は減少し、排出口４３から排出される現像剤１５ｄの排出量も少なくなる。
【０２０１】
従って、本実施形態におけるインダクタンス検知センサ４５の検出間隔のＸ秒は、排出口４３から排出される現像剤１５ｄの排出量によって変える値である。
【０２０２】
排出口４３から排出される現像剤１５ｄの排出量は画像デューティ（Duty）により予想できる。本実施形態では、インダクタンス検知センサ４５の検出間隔のＸ秒は、以下の数２式で示す条件に設定した。
【０２０３】
［数２］
Ｘ＝５００／画像デューティ（Duty）（％）
【０２０４】
例えば、１００％の画像デューティ（Duty）であれば以下の通りである。前記数２式からインダクタンス検知センサ４５の検出間隔（所定時間）Ｘ秒を５秒に１回（Ａ３サイズの記録材７の片面で約４枚に１回）インダクタンス検知センサ４５の出力電圧ＶのＢ値を検知してメモリ１６に記憶して格納する。そして、図９に示すフローチャートに従ってトナー濃度（Ｔ／Ｄ比）を検知する。
【０２０５】
図９のステップＳ１０１でインダクタンス検知センサ４５の検知制御動作を開始し、ステップＳ１０２においてインダクタンス検知センサ４５により出力電圧Ｖを検知し、その出力電圧ＶをＡ値としてメモリ１６に記憶してデータベース３６に格納する。
【０２０６】
ステップＳ１０３では、前記ステップＳ１０２においてインダクタンス検知センサ４５により出力電圧Ｖを検知した時刻からＸ秒後に再度、インダクタンス検知センサ４５の出力電圧Ｖを検知する。そして、その出力電圧ＶをＢ値としてメモリ１６に記憶してデータベース３６に格納する。
【０２０７】
ステップＳ１０４では、インダクタンス検知センサ４５により検知した出力電圧Ｖの時間変化を前記数１式で示す不等式に入力し、インダクタンス検知センサ４５の検出間隔（所定時間）Ｘとの関係を比較するための演算を行なう。
【０２０８】
ステップＳ１０５では、プリンタ制御部３００は、前記数１式で示す不等式の不等号が成立するか以下かを判断する。前記数１式で示す不等式の不等号が成立しない場合には、インダクタンス検知センサ４５の検知に十分な現像剤量がないと判断して前記ステップＳ１０２に戻る。
【０２０９】
前記数１式で示す不等式の不等号が成立する場合は、ステップＳ１０６に進む。そして、前記ステップＳ１０３で検知したＢ値をインダクタンス検知センサ４５の出力電圧Ｖとして確定する。そして、図６に示すインダクタンス検知センサ４５の出力電圧Ｖと現像剤のトナー濃度（Ｔ／Ｄ比）との関係を示す直線ｐを用いて現像剤のトナー濃度（Ｔ／Ｄ比）に換算する。
【０２１０】
ステップＳ１０７では、回収スクリュー４４を駆動回転させてインダクタンス検知センサ４５の近傍に溜まった現像剤１５ｄを搬送して除去する。ステップＳ１０８でインダクタンス検知センサ４５の検知制御動作を終了する。
【０２１１】
＜トナー濃度検知方法＞
本実施形態におけるトナー濃度（Ｔ／Ｄ比）の検知方法は以下の通りである。
【０２１２】
本実施形態の最大の特徴として、インダクタンス検知センサ４５は、図２、図３及び図５に示すように、現像剤容器２０から排出口４３を介して外側に設けた排出経路４６において該排出口４３の直下にセンサ面が設けられている。
【０２１３】
インダクタンス検知センサ４５の出力電圧Ｖは、図７に示す曲線ｉのような時間変化を見せる。即ち、回収スクリュー４４が回転していない場合は以下の通りである。排出口４３から排出される劣化した現像剤１５ｄがインダクタンス検知センサ４５のセンサ面上に降り積もっていき、該インダクタンス検知センサ４５の出力電圧Ｖが急激に上がっていく。
【０２１４】
そして、インダクタンス検知センサ４５のセンサ面上が現像剤１５ｄで十分に覆われると以下の通りである。図７に示す曲線ｉのように、時間の経過とともにインダクタンス検知センサ４５の出力電圧Ｖの増加は次第に緩やかになっていく。そして、排出口４３から排出された現像剤１５ｄが自重により十分に圧縮されて嵩密度の増大が飽和する。これによりインダクタンス検知センサ４５の出力電圧Ｖの増加も飽和する。
【０２１５】
図７に示す曲線ｉのように、時間の経過とともにインダクタンス検知センサ４５の出力電圧Ｖの増加が飽和したところで検知されたインダクタンス検知センサ４５の出力電圧Ｖを現像剤容器２０内の現像剤のトナー濃度（Ｔ／Ｄ比）として検知する。これにより現像剤１５ｄの嵩密度の変化によるインダクタンス検知センサ４５の測定誤差を防ぐことができる。
【０２１６】
インダクタンス検知センサ４５による検知制御動作は図９に示す通りである。即ち、図９のステップＳ１０２において、インダクタンス検知センサ４５の出力電圧Ｖを検知してＡ値として格納した後、ステップＳ１０３において、Ａ値を検知したＸ秒毎に検知したインダクタンス検知センサ４５の出力電圧ＶをＢ値として格納する。
【０２１７】
そして、Ａ値からＢ値への変化の割合が所定の値（０．００２Ｖ／ｓｅｃ）よりも小さくなったときを以下の通り判断する。インダクタンス検知センサ４５のセンサ面上の現像剤１５ｄの嵩密度が飽和して図７に示す曲線ｉのように、インダクタンス検知センサ４５の出力電圧Ｖの増加が飽和したポイントと判断する。
【０２１８】
ここで、図９のステップＳ１０４に示すインダクタンス検知センサ４５の検出間隔（所定時間）Ｘ秒は、排出口４３から排出される現像剤１５ｄの排出量に依存する係数である。
【０２１９】
排出口４３から排出される現像剤１５ｄの排出特性は、図10の曲線ｎで表わされる。記録材７に印刷するトナー像の画像デューティ（Duty）が高い時ほど多くの現像剤が現像剤容器２０内に補給されて該現像剤容器２０内の現像剤量が多くなる。その結果、図10の曲線ｎで示すように、排出口４３から排出される現像剤１５ｄの排出量も多くなる。
【０２２０】
従って、図９のステップＳ１０４に示すインダクタンス検知センサ４５の検出間隔（所定時間）Ｘ秒は、記録材７に印刷するトナー像の画像デューティ（Duty）にも依存する。これにより本実施形態では、インダクタンス検知センサ４５の検出間隔のＸ秒は、前記数２式で示す条件に設定した。
【０２２１】
ここで、記録材７に印刷するトナー像の画像デューティ（Duty）が低い場合には、インダクタンス検知センサ４５の出力電圧Ｖを見に行く頻度が減る。画像デューティ（Duty）が低いときは、現像剤のトナー消費量も少なく、現像剤容器２０内に補給されるトナー量も少ない。
【０２２２】
このため現像剤容器２０内のトナー濃度（Ｔ／Ｄ比）の変動も小さく、実際の画像形成動作には特に問題は無い。
【０２２３】
また、インダクタンス検知センサ４５の出力電圧Ｖをトナー濃度（Ｔ／Ｄ比）の上下限の制御に用いる場合は、検知結果の正確さが重要になる。
【０２２４】
本実施形態では、排出口４３からインダクタンス検知センサ４５のセンサ面上に排出された劣化した現像剤１５ｄの嵩密度の変化によるインダクタンス検知センサ４５によるトナー濃度の誤検知を防止することができる。
【０２２５】
これにより環境変化や現像剤の耐久変化によって現像剤の嵩密度が変化してもインダクタンス検知センサ４５によるトナー濃度の誤検知を防止することができる。
【０２２６】
これにより良好な画像形成動作を行なうことができる画像形成装置１２を提供することができる。
【実施例２】
【０２２７】
次に、図12及び図13を用いて本発明に係る画像形成装置の第２実施形態の構成について説明する。尚、前記第１実施形態と同様に構成したものは同一の符号、或いは符号が異なっても同一の部材名を付して説明を省略する。
【０２２８】
前記第１実施形態では、図５に示すように、現像剤容器２０の外側に排出口４３を介して設けた排出経路４６において、該排出口４３の直下にインダクタンス検知センサ４５のセンサ面を設けた。
【０２２９】
そして、排出口４３から排出される現像剤１５ｄによりインダクタンス検知センサ４５のセンサ面上が十分に覆われる。そして、排出された現像剤１５ｄが自重により十分に圧縮されて嵩密度の増大が飽和する状態まで待ってから検知されたインダクタンス検知センサ４５の出力電圧Ｖをトナー濃度（Ｔ／Ｄ比）に換算した。
【０２３０】
しかし、前記第１実施形態の画像形成装置１２において、形成される画像が低デューティ（Duty）から高デューティ（Duty）まで混載された印刷ジョブを実施する場合がある。その場合は、排出口４３から排出された現像剤１５ｄが自重により十分に圧縮されて嵩密度の増大が飽和するまで待ってからインダクタンス検知センサ４５により検知する。すると、検知タイミングが遅れてしまい、画像濃度の変動が起きてしまう場合があった。
【０２３１】
本実施形態では、排出口４３から排出された現像剤１５ｄの嵩密度が飽和した状態を現像剤１５ｄの自重のみにより行なう構成ではない。現像剤１５ｄの自重に加えて該現像剤１５ｄの嵩密度を飽和させる圧縮手段を用いる。これによりインダクタンス検知センサ４５による検知タイミングを早めてよりリアルタイムに近づけるものである。
【０２３２】
本実施形態におけるインダクタンス検知センサ４５の特性、本実施形態が適用できる画像形成装置１２の構成、本実施形態が適用できる画像形成装置１２に設けられた現像装置４の構成等は、前記第１実施形態と略同様であるため重複する説明は省略する。
【０２３３】
図12は本実施形態の現像装置４におけるインダクタンス検知センサ４５の周辺部の構成を示す断面説明図である。本実施形態におけるインダクタンス検知センサ４５は、現像剤容器２０の外側に設けられた第一排出経路４７において、撹拌室２１ｂに設けられた排出口４３の直下に設けられている。
【０２３４】
第一排出経路４７には、現像剤１５ｄの搬送方向を図12の左右方向に切り替えることができる圧縮手段であって搬送部材となる第一回収スクリュー４８が設けられている。第一回収スクリュー４８は、制御手段となるプリンタ制御部３００によりモータ２９の回転方向を正方向と逆方向に切り替えることで正逆方向に回転駆動される。
【０２３５】
第一排出経路４７には、開口３３を介して第二排出経路４９が接続されている。第二排出経路４９には、現像剤１５ｄを一定の搬送方向（図12の左方向）に搬送する第二回収スクリュー５０が設けられている。第二回収スクリュー５０はプリンタ制御部３００により駆動制御されるモータ３４により回転駆動される。
【０２３６】
排出口４３から排出された劣化した現像剤１５ｄは、インダクタンス検知センサ４５のセンサ面上に落下して次第に第一排出経路４７内に蓄積される。プリンタ制御部３００は、モータ２９を逆回転させて圧縮手段であって搬送部材となる第一回収スクリュー４８により現像剤１５ｄを図12の右方向に搬送する方向に該第一回収スクリュー４８を回転する。
【０２３７】
これにより排出口４３から排出されてインダクタンス検知センサ４５のセンサ面上に落下した現像剤１５ｄは以下の通りである。第一回収スクリュー４８により通常の搬送方向とは逆方向（図12の右方向）に搬送して該排出口４３近傍（排出口近傍）の現像剤容器２０の隔壁３５の壁面に対して現像剤１５ｄを圧縮することで嵩密度が増大する。
【０２３８】
インダクタンス検知センサ４５によりトナー濃度（Ｔ／Ｄ比）が検知された後は、プリンタ制御部３００は、モータ２９を正回転させて第一回収スクリュー４８により現像剤１５ｄを図12の左方向に搬送する方向に該第一回収スクリュー４８を回転する。
【０２３９】
第一排出経路４７から開口３３を介して第二排出経路４９内に落下した現像剤１５ｄは、プリンタ制御部３００により駆動制御されるモータ３４により回転駆動される第二回収スクリュー５０により搬送されて図示しない回収容器内に回収される。
【０２４０】
次に、図13を用いて本実施形態の特徴であるインダクタンス検知センサ４５のセンサ面上での現像剤１５ｄの嵩密度を大きくして飽和させる方法について説明する。図13は、本実施形態の画像形成装置１２の現像装置４におけるインダクタンス検知センサ４５の検知制御動作を示すフローチャートである。
【０２４１】
図13のステップＳ２０１においてインダクタンス検知センサ４５の検知制御動作を開始する。ステップＳ２０２において、プリンタ制御部３００は、モータ２９を逆回転させて第一回収スクリュー４８を図12の左から右方向に現像剤１５ｄを搬送する方向（通常の回収容器への搬送方向とは逆方向）に回転させる。
【０２４２】
これにより排出口４３から排出された劣化した現像剤１５ｄは、インダクタンス検知センサ４５のセンサ面の近傍に搬送される。つまり、前記第１実施形態と同様に、現像スリーブ２４、第１、第２の搬送スクリュー２２ａ，２２ｂをそれぞれ通常の画像形成時と同じ条件で回転させて撹拌室２１ｂに設けられた排出口４３から現像剤１５ｄを溢れ出させる。
【０２４３】
第一排出経路４７に溢れ出した現像剤１５ｄは、第一回収スクリュー４８により図12の左から右方向（通常の回収容器への搬送方向とは逆方向）に搬送される。このため現像剤１５ｄは、現像剤容器２０の隔壁３５の壁面との間で圧縮されて嵩密度が大きくなる。
【０２４４】
本実施形態では、前記第１実施形態のように現像剤１５ｄの自重のみによって嵩密度が増大する時間よりも短い時間で排出口４３から排出された現像剤１５ｄの嵩密度を飽和するまで増大させることができる。
【０２４５】
次に、ステップＳ２０３において、プリンタ制御部３００は、インダクタンス検知センサ４５の出力電圧Ｖを検知し、その出力電圧ＶをＡ値としてメモリ１６に記憶してデータベース３６に格納する。
【０２４６】
次に、ステップＳ２０４において、プリンタ制御部３００は、前記ステップＳ２０３でＡ値を検知した時刻からタイマ１７によりＸ秒がカウントされた時点でインダクタンス検知センサ４５の出力電圧Ｖを再度検知する。そして、その出力電圧ＶをＢ値としてメモリ１６に記憶してデータベース３６に格納する。
【０２４７】
次に、ステップＳ２０５において、プリンタ制御部３００は、インダクタンス検知センサ４５の出力電圧ＶのＡ値からＢ値への検出間隔（所定時間）Ｘを用いて前記数１式で示す不等式を計算する。
【０２４８】
次に、ステップＳ２０６において、プリンタ制御部３００は、前記数１式で示す不等式で不等号が成立するか否かを判断する。前記ステップＳ２０６において、前記数１式で示す不等式で不等号が成立しない場合は以下の通りである。プリンタ制御部３００は、インダクタンス検知センサ４５による検知に十分な現像剤量がないと判断して前記ステップＳ２０３に戻り、前記ステップＳ２０３〜Ｓ２０６を繰り返す。
【０２４９】
前記ステップＳ２０６において、前記数１式で示す不等式で不等号が成立する場合は、ステップＳ２０７に進む。前記ステップＳ２０７において、プリンタ制御部３００は、前記ステップＳ２０４において検知したＢ値をインダクタンス検知センサ４５の出力電圧Ｖとして確定する。そして、前記第１実施形態と同様に、図６の直線ｐを用いてインダクタンス検知センサ４５の出力電圧Ｖ（Ｂ値）を現像剤のトナー濃度（Ｔ／Ｄ比）に換算する。
【０２５０】
次に、ステップＳ２０８において、プリンタ制御部３００は、モータ２９を正回転させて第一回収スクリュー４８を回転させる。これによりインダクタンス検知センサ４５の近傍に溜まった現像剤１５ｄを図12の左方向に搬送する。その後、ステップＳ２０９に進んでインダクタンス検知センサ４５の検知制御動作を終了する。
【０２５１】
本実施形態では、前記ステップＳ２０７において、インダクタンス検知センサ４５により現像剤１５ｄのトナー濃度（Ｔ／Ｄ比）の検知を終えた後、以下の通りである。ステップＳ２０８において、図12に示す排出口４３から第一排出経路４７内に排出された現像剤１５ｄを図12の右から左方向（通常の回収容器への搬送方向）に搬送する方向に第一回収スクリュー４８を回転させる。
【０２５２】
すると、インダクタンス検知センサ４５によりトナー濃度（Ｔ／Ｄ比）の検知を終えた現像剤１５ｄは、開口３３を介して第二排出経路４９に搬送される。
【０２５３】
更に、第二排出経路４９内に設けられた第二回収スクリュー５０により図示しない回収容器に搬送されて回収される。
【０２５４】
尚、第二回収スクリュー５０は、現像剤１５ｄを回収容器に搬送する方向に常時回転していても良い。
【０２５５】
本実施形態によれば、インダクタンス検知センサ４５の検知タイミングは、前記第１実施形態と変わらない。しかし、インダクタンス検知センサ４５の出力電圧Ｖが飽和する時間が早くなる。
【０２５６】
このためインダクタンス検知センサ４５によりトナー濃度（Ｔ／Ｄ比）の検知結果が得られる頻度が前記第１実施形態よりも高くなる。
【０２５７】
本実施形態では、第一排出経路４７内に設けられた第一回収スクリュー４８を逆回転することにより現像剤１５ｄを隔壁３５の壁面に押し付けて強制的に圧縮する。これにより前記第１実施形態のように現像剤１５ｄの自重のみにより圧縮する場合と比べて現像剤１５ｄがより圧縮される。
【０２５８】
これによりインダクタンス検知センサ４５のセンサ面上の現像剤１５ｄの嵩密度を一定にした状態で現像剤１５ｄのトナー濃度（Ｔ／Ｄ比）の測定を行なうことができる。
【０２５９】
現像装置４内では、現像剤を圧縮すると、該現像剤が劣化して凝集塊等の発生が懸念される。本実施形態では、劣化により回収する現像剤１５ｄであるので圧縮しても問題は生じない。
【０２６０】
更に、インダクタンス検知センサ４５により現像剤１５ｄのトナー濃度（Ｔ／Ｄ比）をより正確に測定するために該インダクタンス検知センサ４５の近傍に現像剤１５ｄの嵩密度を安定させるための蓋のような加圧機構を設けることもできる。
【０２６１】
また、インダクタンス検知センサ４５の近傍に電磁石を設け、該インダクタンス検知センサ４５により現像剤１５ｄのインダクタンスを検知するとき以外は、該電磁石をＯＮしておく。これにより該電磁石の磁力により現像剤１５ｄを引き付けて該現像剤１５ｄの嵩密度を安定化させることもできる。
【０２６２】
インダクタンス検知センサ４５により現像剤１５ｄのインダクタンスを検知するときは、電磁石をＯＦＦし、嵩密度が安定した現像剤１５ｄのインダクタンスを検知することもできる。他の構成は前記第１実施形態と同様に構成され、同様の効果を得ることが出来る。
【実施例３】
【０２６３】
次に、図14を用いて本発明に係る画像形成装置の第３実施形態の構成について説明する。尚、前記各実施形態と同様に構成したものは同一の符号、或いは符号が異なっても同一の部材名を付して説明を省略する。
【０２６４】
前記各実施形態では、インダクタンス検知センサ４５により現像剤１５ｄのトナー濃度（Ｔ／Ｄ比）をより正確に測定する構成とした。
【０２６５】
本実施形態では、インダクタンス検知センサ４５により検知した現像剤１５ｄのトナー濃度（Ｔ／Ｄ比）に基づいて、現像装置４内の現像剤量を推測する構成である。
【０２６６】
オート・磁性キャリア・リフレッシュ方式（ＡＣＲ方式）の現像装置４では、図10の曲線ｎで示すように、現像剤量と排出量とに相関関係がある。
【０２６７】
しかし、トナーを消費せずに現像装置４が連続駆動すると、想定よりも現像剤の流動性が大きく変わってしまう場合がある。その場合、本来は現像剤を排出しない現像剤量であっても現像剤の流動性が悪いため嵩密度が大きくなって現像剤を排出してしまう場合がある。
【０２６８】
その場合、現像装置４の内部の現像剤量は、徐々に減少し、現像スリーブ２４の表面に現像剤を十分にコートすることができなくなってしまう。
【０２６９】
現像スリーブ２４の表面に現像剤を十分にコートすることができないと、感光ドラム１の表面上に形成された静電潜像に供給する現像剤が不足する。このためトナー濃度薄や画像欠けといった問題が生じる。
【０２７０】
一旦、このような状態になってしまうと、現像スリーブ２４の表面に現像剤を十分にコートすることができるように回復させるためには、現像装置４を交換するしかなくなる。
【０２７１】
排出口４３から排出される現像剤１５ｄのトナー濃度（Ｔ／Ｄ比）をインダクタンス検知センサ４５により検知することにより単位時間当たりに排出される現像剤量を検知することもできる。
【０２７２】
つまり、インダクタンス検知センサ４５により現像剤１５ｄのインダクタンスが安定して測定できるようになる状態は、一定量以上の現像剤１５ｄがインダクタンス検知センサ４５の近傍に排出されて溜まっていることを示している。
【０２７３】
インダクタンス検知センサ４５により現像剤１５ｄのインダクタンスの測定が安定するために必要な該現像剤１５ｄの量は実験的に求めることが出来る。これにより所定の時間当たりに排出口４３から排出される現像剤量が分かる。
【０２７４】
また、排出口４３から排出される現像剤量は、図２に示す補給装置となるホッパー３１から現像剤容器２０内（現像剤容器内）に補給するトナー補給量に応じて排出されることが分かっている。これにより所定期間における現像装置４へのトナー補給量と、トナー消費量とが分かれば、排出口４３から排出される現像剤量Ｈ１が予測できる。
【０２７５】
一方、インダクタンス検知センサ４５の出力電圧Ｖからも排出口４３から排出された現像剤量Ｈ２を予測することができる。
【０２７６】
そして、それぞれに予測された排出口４３から排出される現像剤量Ｈ１，Ｈ２を比較する。これにより現像装置４から排出される劣化した現像剤１５ｄの排出量が異常であるか否かが判断できる。
【０２７７】
図14は、本実施形態の現像装置４において排出された現像剤量より現像装置４の状態を判断するインダクタンス検知センサの検知制御動作を示すフローチャートである。
【０２７８】
先ず、ステップＳ３０１において、画像形成装置１２の画像形成動作を開始する。画像形成動作が開始して、トナー補給量をメモリ１６に記憶する。その後、ステップＳ３０２において、プリンタ制御部３００は、その時のトナー補給量と、トナー消費量とから予測される排出口４３から排出される現像剤１５ｄの現像剤量Ｈ１を演算（算出）し、メモリ１６に記憶する。
【０２７９】
この際、現像剤１５ｄの現像剤量Ｈ１は、現像装置４の使用した画像比率と枚数、使用環境に応じて図４に示す記憶手段となるデータベース３６に記憶された各種情報に基づいてプリンタ制御部３００により計算される。
【０２８０】
次に、ステップＳ３０３において、インダクタンス検知センサ４５により検知を行い、プリンタ制御部３００は、その検出値に基づいて現像剤１５ｄの現像剤量Ｈ２を演算（算出）し、メモリ１６に記憶する。
【０２８１】
この際も現像剤１５ｄの現像剤量Ｈ２は、現像装置４の使用した画像比率と枚数、使用環境に応じて図４に示す記憶手段となるデータベース３６に記憶された各種情報に基づいてプリンタ制御部３００により計算される。
【０２８２】
次に、ステップＳ３０４において、プリンタ制御部３００は、計算した現像剤１５ｄの現像剤量Ｈ１，Ｈ２が正常な関係であるか否かを予め設定した閾値Ｙを用いて以下の数３式により判断する。
【０２８３】
［数３］
Ｈ２−Ｈ１＞Ｙ
【０２８４】
ここで、現像剤１５ｄの現像剤量Ｈ１，Ｈ２が正常な関係であるか否かを判断する閾値Ｙは、現像装置４の使用した画像比率と枚数、使用環境に応じて図４に示す記憶手段となるデータベース３６に記憶された各種情報に基づいて決定される値である。本実施形態では、閾値Ｙを０．５（ｇ）に設定した。
【０２８５】
前記ステップＳ３０４において、プリンタ制御部３００は、前記数３式を満たす場合に現像剤１５ｄの現像剤量Ｈ１，Ｈ２が正常な関係であると判断する。その場合は、現像スリーブ２４の表面に担持される現像剤のコート量が不安定になることにより不良画像が発生する可能性は低いと判断し、ステップＳ３０６に進んで引き続き画像形成動作を継続する。
【０２８６】
前記ステップＳ３０４において、プリンタ制御部３００は、前記数３式を満たさない場合に現像剤１５ｄの現像剤量Ｈ１，Ｈ２が正常な関係でないと判断する。その場合は、インダクタンス検知センサ４５の出力電圧Ｖから予想される排出口４３から排出される現像剤１５ｄの現像剤量Ｈ２が、トナー補給量と、トナー消費量とから予測される排出口４３から排出される現像剤１５ｄの現像剤量Ｈ１よりも大きい。このため現像装置４内の現像剤量が低下する傾向にある。
【０２８７】
これにより本来、排出口４３から排出されるはずがないのに現像剤１５ｄが排出されている可能性がある。この状態が続くと、現像装置４内の現像剤量が低下し、現像スリーブ２４に供給される現像剤量が不十分であるため現像スリーブ２４の表面に担持される現像剤のコート量が不安定になることにより不良画像が発生する可能性がある。
【０２８８】
そこで、本実施形態では、ステップＳ３０５に進んで、現像装置４内の回収スクリュー４４の回転速度を変更する。
【０２８９】
即ち、制御手段となるプリンタ制御部３００は、ホッパー３１の動作履歴情報に基づいて排出口４３から排出される現像剤１５ｄの現像剤量Ｈ１を考慮する。更に、インダクタンス検知センサ４５の出力電圧Ｖ（検知結果）に基づいて排出口４３から排出される現像剤１５ｄの現像剤量Ｈ２を考慮する。そして、現像剤量Ｈ１，Ｈ２の比較結果に応じて画像形成装置１２の画像形成条件を制御する。
【０２９０】
具体的には、現像剤量Ｈ１（ｇ）と、現像剤量Ｈ２（ｇ）との比較結果が前記数３式で閾値Ｙを０．５（ｇ）に設定して該数３式を満たすときにプリンタ制御部３００は、画像形成装置１２の画像形成条件を制御する。
【０２９１】
ここで、補給装置となるホッパー３１による新しい現像剤または磁性キャリアの補給よって過剰になった現像装置４内の余剰現像剤を現像装置４の壁面に設けられた排出口４３から溢れ出るようにオーバーフローさせて排出させて回収する。これをオート・磁性キャリア・リフレッシュ方式（ＡＣＲ方式）という。
【０２９２】
ＡＣＲ方式による現像剤の排出は、図５に示す第２の搬送スクリュー２２ｂの回転に伴って行なわれる。該第２の搬送スクリュー２２ｂの回転速度を調整することにより排出口４３近くの現像剤面高さを調整すれば、ＡＣＲ方式により排出口４３から排出される現像剤の現像剤量を調整することができる。
【０２９３】
特に、図４に示すように、現像スリーブ２４と、現像装置４内の第１、第２の搬送スクリュー２２ａ，２２ｂとが別駆動の場合は以下の通りである。現像スリーブ２４と、第１、第２の搬送スクリュー２２ａ，２２ｂとの回転速度を変更しても該現像スリーブ２４の回転速度を同一のままで第１、第２の搬送スクリュー２２ａ，２２ｂの回転速度のみを変更することができるため有効な対策となる。
【０２９４】
また、ＡＣＲ方式により現像剤の排出量が調整できる現像装置４であれば、図14のステップＳ３０４において以下の通りである。排出口４３から排出される現像剤１５ｄの現像剤量Ｈ１，Ｈ２の比較結果に応じて排出口４３から排出される現像剤の現像剤量を調整すれば良い。
【０２９５】
ステップＳ３０６において、現像装置４内の現像剤のバランスを整えたうえで、引き続き画像形成動作を行なう。次に、ステップＳ３０７において、プリンタ制御部３００は、画像形成装置１２の画像形成動作を終了するか否かを判断し、引き続き画像形成動作を行なう場合は、前記ステップＳ３０２に戻って前記ステップＳ３０２〜ステップＳ３０７の制御動作を行なう。
【０２９６】
前記ステップＳ３０７において、画像形成装置１２の画像形成動作を終了すると判断した場合には、ステップＳ３０８に進んで画像形成装置１２の画像形成動作を終了する。
【０２９７】
前記ステップＳ３０４において、プリンタ制御部３００は、前記数３式を満たさない場合に現像剤１５ｄの現像剤量Ｈ１，Ｈ２が正常な関係でないと判断する。
【０２９８】
その場合は、現像装置４内の現像剤量が低下していることが予想される。このため現像装置４内の現像剤量を調整することもできる。具体的には、強制的に現像装置４内へのトナー補給とトナー消費を行う。
【０２９９】
現像装置４の排出口４３から排出される現像剤の現像剤量が想定よりも増加しているのは、現像剤が想定よりも劣化しているためである。現像剤を劣化状態から回復させるために現像装置４内のトナーを消費し、新しいトナーを補給する。
【０３００】
これにより現像装置４内の現像剤をリフレッシュさせることができる。このような現像装置４内の現像剤のリフレッシュ動作により該現像装置４内の現像剤の状態を劣化状態から回復させる。
【０３０１】
これによりＡＣＲ方式による現像剤の排出量が正常に戻れば、現像スリーブ２４の表面に担持される現像剤のコート量が不安定になることによる不良画像の発生を防止することができる。
【０３０２】
また、必要に応じて、前記ステップＳ３０５における撹拌設定の変更と併用すれば、より不具合を防止することができる。
【０３０３】
以上のように、ＡＣＲ方式による現像剤の排出量をインダクタンス検知センサ４５により検知した出力電圧Ｖから予測することにより現像スリーブ２４の表面に担持される現像剤のコート量が不安定になることによる不良画像の発生を防止することができる。他の構成は前記各実施形態と同様に構成され、同様の効果を得ることが出来る。
【符号の説明】
【０３０４】
１２…画像形成装置
１５ｄ…劣化した現像剤
４３…排出口
４５…インダクタンス検知センサ（トナー濃度検知手段）
３００…プリンタ制御部（制御手段）
【図１】
2017083501.tif 000003
【図２】
2017083501.tif 000004
【図３】
2017083501.tif 000005
【図４】
2017083501.tif 000006
【図５】
2017083501.tif 000007
【図６】
2017083501.tif 000008
【図７】
2017083501.tif 000009
【図８】
2017083501.tif 000010
【図９】
2017083501.tif 000011
【図１０】
2017083501.tif 000012
【図１１】
2017083501.tif 000013
【図１２】
2017083501.tif 000014
【図１３】
2017083501.tif 000015
【図１４】
2017083501.tif 000016
【図１５】
2017083501.tif 000017
【図１６】
2017083501.tif 000018